(57)【要約】      （修正有）【課題】壁等の角部の表面が滑らかな場合に限らず粗い面であっても、容易かつ強固に固定できる緩衝部材を提供する。【解決手段】折れ曲り部１を挟んで両側に取り付け部２を備える緩衝部材を製作する。取り付け部２の内部には、それぞれ貫通孔２１ｃ等を設け、貫通孔２１ｃの内壁であって取り付け部２の内側面２２と隣接する部分には、相互に平行な２本の凹溝２３を形成する。壁等の角部の表面が滑らかな場合には、接着剤等で直接角部の表面に貼着する。角部の表面が粗い場合には、２本の凹溝２３に挟まれた突条部分を、これらの凹溝の薄肉の溝底部において引き離して、貫通孔２１ｃに連通して開口するスリットを形成する。予め角部の表面にネジ等で固定したＬチャンネル部材の外側端部に、スリットを挿入して緩衝部材を係止する。【選択図】図１
0003155091.tif 000002
【実用新案登録請求の範囲】
【請求項１】
壁、柱、塀または囲い等の角部に取り付ける緩衝部材であって、
弾性部材からなる縦長の形状を有し、
長手方向に沿う折れ曲り部と、この折れ曲り部を挟んで両側に位置する取り付け部とを備え、
上記取り付け部の内側面は、平坦な面に形成してあり、
上記取り付け部の内部には、長手方向に貫通する貫通孔が設けてあり、
上記貫通孔の内壁であって上記取り付け部の内側面と隣接する部分には、長手方向に沿って相互に平行な２本の凹溝が形成されており、
上記貫通孔の内壁であって上記２本の凹溝に挟まれた突条部分を、これらの凹溝の溝底部において上記取り付け部の内側面から分離できる
ことを特徴とする緩衝部材。
【請求項２】
壁、柱、塀若しくは囲い等の角部、または平坦部のいずれにも取り付け可能な緩衝部材であって、
弾性部材からなる縦長の形状を有し、
長手方向に沿う折れ曲り部と、この折れ曲り部を挟んで両側に位置する取り付け部とを備え、
上記折れ曲り部は、折れ曲がり角度が可変の薄肉に形成してあり、
上記取り付け部の内側面は、平坦な面に形成してあり、
上記取り付け部の内部には、長手方向に貫通する貫通孔が設けてあり、
上記貫通孔の内壁であって上記取り付け部の内側面と隣接する部分には、長手方向に沿って相互に平行な２本の凹溝が形成されており、
上記貫通孔の内壁であって上記２本の凹溝に挟まれた突条部分を、これらの凹溝の溝底部において上記取り付け部の内側面から分離できる
ことを特徴とする緩衝部材。
【請求項３】
請求項１または２のいずれかにおいて、上記折れ曲り部の折れ曲り角度は、ほぼ９０度である
ことを特徴とする緩衝部材。
【考案の詳細な説明】
【技術分野】
【０００１】
本考案は、例えば壁、柱、塀、または囲い等に取り付ける緩衝部材に関する。
【背景技術】
【０００２】
従来から、自動車が車庫等の入口の角部に接触したときに、自動車や入口の角部の損傷を防止するために、この角部に緩衝部材を取り付ける手段が提案されている（例えば特許文献１参照。）。
【０００３】
特許文献１に記載の緩衝装置は、図７に示すように、プラスチック等の弾性部材を、略Ｌ字状の横断面形状に形成したものであって、長さ方向に複数の貫通孔２２１を有している。また折れ曲り部２０１は、薄肉にしてある。
【０００４】
緩衝装置を角部に取り付ける際には、この緩衝装置の互いにほぼ直角をなす２の内側面２２２、２２２に、それぞれ両面接着テープ２０４、２０４を貼り付けて、この角部に取り付けている。
【先行技術文献】
【特許文献】
【０００５】
【特許文献１】実開平７−１２１８号公報
【考案の概要】
【考案が解決しようとする課題】
【０００６】
しかしながら上述した緩衝装置には、さらに改良すべき課題がある。すなわちこの緩衝装置は、両面接着テープ２０４の接着力によって、入口等の角部に取り付けるものであるところ、角部の表面が金属や木材等のように滑らかな場合には、十分な接着力が得られるが、コンクリートブロック等のように滑らかでない場合には、十分な接着力が得られず剥がれ易くなる。
【０００７】
かかる場合には、緩衝装置をネジ等によって、コンクリートブロック等に固定する手段が考えられるが、自動車が接触した際に、硬いネジ等の頂部が直接自動車に触れないように弾性部材で覆う必要があり、緩衝装置の構成が複雑になると共に、外観上の見場が悪くなる。
【０００８】
そこで本考案の目的は、角部の表面等が、滑らかな場合に限らず粗い面であっても、容易かつ強固に固定できる緩衝部材を提供することにある。
【課題を解決するための手段】
【０００９】
上記課題を解決すべく、本考案による緩衝部材の特徴は、壁、柱、塀または囲い等の角部に取り付ける緩衝部材であって、角部の表面が滑らかな場合には、接着剤で強固に固定できると共に、表面が粗い面の場合には、予めネジ等で角部に固定したアルミ等の金属製チャンネル部材に、容易かつ強固に係止できることにある。
【００１０】
すなわち上述した緩衝部材は、弾性部材からなる縦長の形状を有し、長手方向に沿う折れ曲り部と、この折れ曲り部を挟んで両側に位置する取り付け部とを備えている。上記取り付け部の内側面は、平坦な面に形成してあり、この取り付け部の内部には、長手方向に貫通する貫通孔が設けてある。上記貫通孔の内壁であって上記取り付け部の内側面と隣接する部分には、長手方向に沿って相互に平行な２本の凹溝が形成されている。そして上記貫通孔の内壁であって上記２本の凹溝に挟まれた突条部分を、これらの凹溝の溝底部において上記取り付け部の内側面から分離できる。
【００１１】
本考案による緩衝部材の他の特徴は、折れ曲り部を、折れ曲がり角度が可変の薄肉に形成することによって、壁等の角部に限らず、平坦部にも取り付け可能であることにある。すなわちこの緩衝部材は、壁、柱、塀若しくは囲い等の角部、または平坦部のいずれにも取り付け可能であって、弾性部材からなる縦長の形状を有し、長手方向に沿う折れ曲り部と、この折れ曲り部を挟んで両側にそれぞれ位置する取り付け部を備えている。上記折れ曲り部は、折れ曲がり角度が可変の薄肉に形成してある。上記取り付け部の内側面は、平坦な面に形成してあり、この取り付け部の内部には、それぞれ長手方向に貫通する貫通孔が設けてある。上記貫通孔の内壁であってこの取り付け部の内側面と隣接する部分には、長手方向に沿って相互に平行な２本の凹溝が形成されている。そして上記貫通孔の内壁であって上記２本の凹溝に挟まれた突条部分を、これらの凹溝の溝底部において上記取り付け部の内側面から分離できる。
【００１２】
ここで「壁、柱、塀または囲い等」には、その他、移動中の人、並びに自動車及び荷物等の物が衝突し得る全ての個所を含む。また「角部」には、角部が垂直な場合に限らず、水平または斜めの場合も含み、角部の角度は、９０度に限らず、９０度より大きい場合も小さい場合も含む。「弾性部材」には、弾性変形によって衝突エネルギーを吸収できる全ての部材を意味し、例えば熱可塑性樹脂等の合成樹脂、天然ゴム、及びこれらを合成した素材が該当する。「折れ曲り部」の折れ曲り角度は、ほぼ９０度が望ましいが、９０度より大きい場合も小さい場合も含む。
【００１３】
「貫通孔」の数、サイズ、及び断面形状は問わない。「凹溝」とは、例えばＶの字、Ｕの字、コの字、半円、あるいは楕円の断面形状を有する溝を意味する。「上記貫通孔の内壁であって上記２本の凹溝に挟まれた突条部分を、これらの凹溝の溝底部において上記取り付け部の内側面から分離できる」とは、凹溝の溝底部は、肉厚が薄くなっているため、２本の凹溝に挟まれた突条部分、すなわち肉厚が厚い突条部分の端部を指等で引っ掛けて引っ張ると、この肉厚の薄い部分が凹溝の溝底部に沿って破れて、取り付け部の内側面から分離できることを意味する。「折れ曲がり角度が可変の薄肉に形成して」ある「折れ曲り部」の折れ曲り角度は、ほぼ９０度が望ましいが、９０度より大きい場合も小さい場合も含み、ほぼ１８０度であってもよい。
【考案の効果】
【００１４】
角部の表面が粗く、接着剤による接着力が期待できない場合には、上述したように、２本の凹溝に挟まれた突条部分を、取り付け部の内側面から分離することによって、貫通孔に連通するスリットを形成する。そして、このスリットを、予めネジ等で角部に固定したアルミ等の金属製チャンネル部材に挿入することによって、緩衝部材を角部に、容易かつ強固に係止できる。かかる場合には、金属製チャンネル部材は、緩衝部材の内側面、及び貫通孔内に位置するため、緩衝部材の表面に露呈することはない。
【００１５】
一方角部の表面が滑らかで、接着剤による接着力が期待できる場合には、上述した貫通孔に連通するスリットを形成することなく、接着剤等によって、緩衝部材の平坦な内側面を角部の表面に、容易かつ強固に固定することができる。また貫通孔に連通するスリットが形成されていないため、緩衝部材の剛性が確保され、この緩衝部材の変形やズレの発生を防止することができる。
【００１６】
折れ曲り部を、折れ曲がり角度が可変の薄肉に形成することによって、壁、柱、塀または囲い等の角部に限らず、平坦面にも取り付けることが可能となる。
【図面の簡単な説明】
【００１７】
【図１】壁等の角部に取り付け可能な緩衝部材の斜視図である。
【図２】緩衝部材の一部拡大斜視図である。
【図３】取り付け部の内側面から分離しつつある２本の凹溝に挟まれた突条部分を示す一部拡大斜視図である。
【図４】Ｌチャンネル部材を介して壁等の角部に取り付ける緩衝部材の斜視図である。
【図５】壁等の角部及び平坦部のいずれにも取り付け可能な緩衝部材の斜視図である。
【図６】壁等の角部及び平坦部のいずれにも取り付け可能な緩衝部材を、平坦部に取り付ける場合の斜視図である。
【図７】従来例による壁等の角部に取り付け可能な緩衝部材の斜視図である。
【考案を実施するための形態】
【００１８】
図１〜図４を参照しつつ、本考案による緩衝部材の構成等を説明する。さて図１に示すように、本考案による緩衝部材は、壁、柱、塀または囲い等の角部に取り付ける緩衝部材であって、弾性部材である軟質塩化ビニールからなる縦長の形状を有しており、長手方向に沿う折れ曲り部１を挟んで両側に位置する、平板状の取り付け部２、２を備えている。なお折れ曲り部１の折れ曲り角度は、ほぼ９０度にしてある。取り付け部２、２の内側面２２、２２は、平坦な面に形成してある。また取り付け部２、２の内部には、それぞれ長手方向に貫通する３の貫通孔２１ａ、２１ｂ、２１ｃが設けてある。なお折れ曲り部１の内部には、扇型の貫通孔１１が貫通している。
【００１９】
図２に示すように、取り付け部２の最外端に位置する貫通孔２１ｃの内壁であって、この取り付け部の内側面２２と隣接する部分には、長手方向に沿って相互に平行な２本の凹溝２３、２３が形成されている。なお貫通孔２１ｃの周囲壁の厚さは、緩衝部材のサイズに応じて、２〜５ｍｍとするのが望ましく、２本の凹溝２３、２３の幅Ｗは、２．５〜３．５ｍｍとするのが望ましい。また２本の凹溝２３、２３の溝底部の肉厚は、それぞれ０．５〜１ｍｍとするのが望ましい。なお上述した緩衝部材は、熱可塑性樹脂である軟質塩化ビニールまたは非塩化ビニール・エラストマを押出し成形して製作する。
【００２０】
壁等の角部の表面が、コンクリートブロック等のように粗い面の場合には、図３に示すように、２本の凹溝２３、２３に挟まれた厚肉の突条部分２４の端部２４ａを、指等で引っ掛けて引っ張ることによって、これらの凹溝の薄肉の溝底部を破断し、この取り付け部の内側面２２から引き剥がす。これによって長手方向に沿った幅の狭いスリット２５を形成する。
【００２１】
図４に、上述したスリット２５を介して、緩衝部材をアルミ製のＬチャンネル部材３に挿入して係止した状態を示す。すなわちＬチャンネル部材３は、アルミ製の平板をプレス加工によって形成したものであって、緩衝部材の相互に直交する取り付け部２、２の内側面２２、２２に密着するように、Ｌ字横断面形状を有している。またＬチャンネル部材３の両側の外側端部３１、３１は、階段状に屈成してあって、スリット２５と貫通孔２１ｃとに挿入可能となっている。なお外側端部３１の階段高さは、内側面２２に隣接する貫通孔２１ｃの内壁の厚さより、わずかに大きくしてある。このため緩衝部材のスリット２５に、Ｌチャンネル部材３の階段状の外側端部３１、３１を、長手方向に沿って挿入すると、この屈成した階段状の部分が、貫通孔２１ｃの内壁を、ジグザグ状に挟持する。したがって緩衝部材は、Ｌチャンネル部材３に、容易かつ強固に固定することができる。
【００２２】
Ｌチャンネル部材３は、予めネジ等によって、壁等の角部に固定しておき、この角部に固定したＬチャンネル部材に、スリット２５と貫通孔２１ｃとを介して、緩衝部材を挿入して係止する。なお緩衝部材は、スリット２５とＬチャンネル部材３の階段状の外側端部３１、３１との摩擦力によって、このＬチャンネル部材から抜け落ちることはないが、更に確実を期すために、このＬチャンネル部材の底端部に、抜け落ち防止容易の突起部を屈成したり、この緩衝部材とＬチャンネル部材とを接着剤で接着したりしてもよい。またＬチャンネル部材３として、ステンレス等の他の金属、あるいはプラスチックを使用することもできる。さらに緩衝部材とＬチャンネル部材３との上面に、これらを覆う合成樹脂等のキャップを取り付けるようにしてもよい。
【００２３】
壁等の角部の表面が、金属や木材等のように滑らかな面の場合には、上述したスリット２５を形成することなく、緩衝部材の取り付け部２、２の内側面２２、２２を、接着剤、あるいは両面接着テープによって、直接角部の表面に貼着する。
【００２４】
図５に、本考案による緩衝部材の他の構成等を示す。この緩衝部材において、ほぼ９０度の角度の折れ曲り部１０１は、折れ曲り角度が可変の薄肉に形成してある。他の部分は、上述した緩衝部材と同等である。なお図１に示したものと同等な部分は、参照を容易にするため、図１に示した部品番号に、一律１００を加えた番号にしてある（同様に図７では一律２００を加えた番号にしてある。）。すなわちほぼ９０度の角度に形成してある折れ曲り部１０１は、薄肉に形成してあるため、折れ曲り角度を容易に変えることができる。したがって角部の角度が９０度以上の場合にも、９０度以下の場合にも、容易に緩衝部材を取り付けることができる。
【００２５】
図６は、図５に示した緩衝部材について、薄肉に形成してある折れ曲り部１０１を平らに曲げ戻した状態を示している。このように折れ曲り部１０１を挟む両側の取り付け部１０２、１０２を、相互に平行にすれば、壁等の平坦面にも、上述した階段状に屈成した外側端部を有するアルミ板等を介して、あるいは接着剤等によって、この平坦面に容易かつ強固に取り付けることができる。
【産業上の利用可能性】
【００２６】
壁等の角部の表面等が、滑らかな場合に限らず粗い面であっても、容易かつ強固に固定できるため、建築等に関する産業に広く利用可能である。
【符号の説明】
【００２７】
１、１０１、２０１        折れ曲り部
２、１０２、２０２        取り付け部
２１ａ、２１ｂ、２１ｃ    貫通孔
１２１、２２１            貫通孔
２２、１２２、２２２      内側面
２３、１２３              凹溝
２４                      突条部分
３                        Ｌチャンネル部材
２０４                    両面接着テープ
【図１】
0003155091.tif 000003
【図２】
0003155091.tif 000004
【図３】
0003155091.tif 000005
【図４】
0003155091.tif 000006
【図５】
0003155091.tif 000007
【図６】
0003155091.tif 000008
【図７】
0003155091.tif 000009